(57)【要約】【課題】デジタル放送受信装置において、弱電界時にデジタル放送の視聴が困難となったとき、同じ番組を継続して視聴できるようにする。【解決手段】本装置１は、チューナ部２、チューナ部２から出力されたデジタル及びアナログ復調信号をそれぞれデコードしてデジタル及びアナログ映像信号を出力する映像処理部３、デジタル又はアナログ映像信号を選択する映像選択回路５ａ、選択された映像信号を表示する表示部７、デジタル復調信号のビットエラーレートを検出するビットエラー検出回路２５、サイマル放送チャンネル情報を記憶する記憶部１０、及び装置１全体を制御する制御部１１を備える。制御部１１は、ビットエラレート情報に基き、デジタル放送の受信状態が悪くなれば、サイマル放送が存在するときは、サイマル放送のアナログ映像信号を選択する。これにより、弱電界時にデジタル放送の視聴が困難となったとき、同じ番組を継続して視聴することができる。【選択図】図１
2009272881.tif 000002
【特許請求の範囲】
【請求項１】
受信テレビ放送電波よりデジタル放送チャンネル及びアナログ放送チャンネルをそれぞれ選局し、これら選局した受信チャンネルの放送電波を復調してデジタル復調信号及びアナログ復調信号を出力するチューナ部と、
前記チューナ部から出力されたデジタル復調信号及びアナログ復調信号をそれぞれデコードしてデジタル映像信号及びアナログ映像信号を出力する映像処理部と、
前記映像処理部から出力されたデジタル映像信号とアナログ映像信号とを選択する選択部と、
前記選択部により選択された映像信号を表示する表示部と、
前記デジタル放送チャンネルとアナログ放送チャンネルの番組情報を記憶する記憶部と、
前記チューナ部で受信されたデジタル放送チャンネルの受信状態の良否を検出する受信状態検出部と、
前記記憶部に記憶された番組情報に、受信中のデジタル放送チャンネルに対応する同じ時間帯における同じ番組のアナログ放送チャンネルが存在するときは、前記受信状態検出部により検出された受信状態の良否に基き、前記チューナ部により選局されたデジタル放送チャンネルの受信状態が悪くなれば、前記記憶部に記憶された番組情報に基いて、前記デジタル放送チャンネルと同じ放送番組を放送するアナログ放送チャンネルを前記チューナ部により選局し、この選局されたアナログ放送チャンネルに基くアナログ映像信号を前記選択部により選択するアナログ／デジタル切替部と、を備えたことを特徴とするデジタル放送受信装置。
【請求項２】
前記アナログ／デジタル切替部は、前記チューナ部によりデジタル放送チャンネルが選局されると同時に、前記記憶部に記憶された番組情報に基き、前記デジタル放送チャンネルと同じ番組を放送するアナログ放送チャンネルを前記チューナ部により自動的に並行して選局することを特徴とするに請求項１に記載のデジタル放送受信装置。
【請求項３】
前記アナログ／デジタル切替部は、前記チューナ部から出力されたデジタル復調信号及びアナログ復調信号に含まれるそれぞれの電子番組情報に基くデジタル放送チャンネルとアナログ放送チャンネルの番組情報を前記記憶部に記憶すると共に、該記憶部に記憶された番組情報を基に、デジタル放送チャンネルとアナログ放送チャンネルとにより同じ番組が同じ時間帯で放送されるサイマル放送チャンネル情報を検出して前記記憶部に記憶することを特徴とする請求項１又は請求項２記載のデジタル放送受信装置。
【請求項４】
前記受信状態検出部は、前記チューナ部により復調されたデジタル復調信号におけるビットエラーを検出するビットエラー検出回路を備え、該ビットエラー検出回路により検出されたビットエラーレートに基いて受信状態の良否を検出することを特徴とする請求項１乃至請求項３のいずれか一項に記載のデジタル放送受信装置。
【発明の詳細な説明】
【技術分野】
【０００１】
本発明は、ディジタル放送とアナログ放送の両方を受信することができるディジタル放送受信装置に関する。
【背景技術】
【０００２】
近年、地上波テレビ放送に見られるように、テレビ放送のデジタル化にともない、アナログ放送とデジタル放送が混在して放送されている。また、このような中で、アナログ放送からデジタル放送に地上波放送電波を切替えるための移行期に対する対策として、通常、地上波アナログ放送と同じ番組を同じ時間帯に地上波デジタル放送で放送するサイマル放送が行われている。例えば、日本においては、既にサイマル放送が行われており、少なくとも２０１１年頃まで引き続き実施される予定とされている。
【０００３】
ところで、デジタル変調（ＱＰＳＫ、ＱＡＭ等）と画像圧縮技術のＭＰＥＧ２（Moving Picture Experts group2）等に基くデジタル放送の受信映像（音声を含む）は、テレビ電波の電界強度レベルが所定のスレシホールド（Threshold）以上であれば、その受信映像信号のＳ／Ｎがアナログ放送に比較して極めて良くなる利点があることが知られている。しかしながら、デジタル放送では、テレビ電波の受信電界が弱電界となって、受信したテレビ放送搬送波のＣ／Ｎがスレシホールド以下に低下すると、電波ノイズにより受信機のデジタル信号処理回路等が誤動作し、映像表示画面にブロックノイズや画面が動かなくなる画面フリーズ等が発生し、受信画像が再生されず、視聴中の番組映像を見ることができなくなるという課題があった。
【０００４】
ところで、アナログ放送受信部で受信したアナログ映像信号をデジタル化して、デジタル放送受信部で受信したデジタル映像信号と同じＯＳＤ回路によりＯＳＤ処理することにより、アナログ映像信号に基く映像出力のＯＳＤ品質を低下させないようにした放送受信装置が知られている（例えば、特許文献１参照）。しかしながら、この装置は、アナログ放送とディジタル放送の両方を受信できるが、ディジタル放送受信電波の弱電界時にテレビ映像が乱れて、視聴中の番組映像を見ることができなくなることがあった。
【０００５】
また、テレビ映像とグラフィック映像を重ねて表示するテレビ放送受信装置において、受信したアナログ映像信号をデジタル映像信号に変換し、このデジタル映像信号とグラフィックＬＳＩで生成したグラフィック映像とを重ね合わせて合成画像を表示すると共に、弱電界において受信状態が悪化すれば、合成画像をアナログ映像信号に切替えて表示する装置が知られている（例えば、特許文献２参照）。しかしながら、この装置は、弱電界時に合成画像をアナログ映像信号に切替えるものであり、デジタルテレビ放送を受信することができない。
【０００６】
また、地上波放送や衛星放送等からのテレビ放送信号を復調した各種アナログテレビ信号やデジタルテレビ信号、及びコンピュータ等からの映像データ信号を基に、これらの信号を映像フォーマット変換などにより同じフォーマットの映像信号に変換して表示するテレビジョン表示信号復調装置が知られている（例えば、特許文献３参照）。しがしながら、この装置は、受信した異なるテレビフォーマット信号を復調表示することはできるが、上記課題を解決できるものではない。
【特許文献１】特開２００３−１５３１１６号公報
【特許文献２】特開２００６−３３６６８号公報
【特許文献３】特開平１０−２６２１９６号公報
【発明の開示】
【発明が解決しようとする課題】
【０００７】
本発明は、上記の課題を解決するものであり、デジタル放送を含む地上波テレビ放送を受信するデジタル放送受信装置において、デジタル放送受信電波が弱電界となり受信画像の視聴が困難となったときに、同じ番組を継続して視聴することができるデジタル放送受信装置を提供することを目的とする。
【課題を解決するための手段】
【０００８】
上記目的を達成するために請求項１の発明は、受信テレビ放送電波よりデジタル放送チャンネル及びアナログ放送チャンネルをそれぞれ選局し、これら選局した受信チャンネルの放送電波を復調してデジタル復調信号及びアナログ復調信号を出力するチューナ部と、前記チューナ部から出力されたデジタル復調信号及びアナログ復調信号をそれぞれデコードしてデジタル映像信号及びアナログ映像信号を出力する映像処理部と、前記映像処理部から出力されたデジタル映像信号とアナログ映像信号とを選択する選択部と、前記選択部により選択された映像信号を表示する表示部と、前記デジタル放送チャンネルとアナログ放送チャンネルの番組情報を記憶する記憶部と、前記チューナ部で受信されたデジタル放送チャンネルの受信状態の良否を検出する受信状態検出部と、前記記憶部に記憶された番組情報に、受信中のデジタル放送チャンネルに対応する同じ時間帯における同じ番組のアナログ放送チャンネルが存在するときは、前記受信状態検出部により検出された受信状態の良否に基き、前記チューナ部により選局されたデジタル放送チャンネルの受信状態が悪くなれば、前記記憶部に記憶された番組情報に基いて、前記デジタル放送チャンネルと同じ放送番組を放送するアナログ放送チャンネルを前記チューナ部により選局し、この選局されたアナログ放送チャンネルに基くアナログ映像信号を前記選択部により選択するアナログ／デジタル切替部と、を備えたものである。
【０００９】
請求項２の発明は、請求項１に記載のデジタル放送受信装置において、前記アナログ／デジタル切替部は、前記チューナ部によりデジタル放送チャンネルが選局されると同時に、前記記憶部に記憶された番組情報に基き、前記デジタル放送チャンネルと同じ番組を放送するアナログ放送チャンネルを前記チューナ部により自動的に並行して選局するものである。
【００１０】
請求項３の発明は、請求項１又は請求項２に記載のデジタル放送受信装置において、前記アナログ／デジタル切替部は、前記チューナ部から出力されたデジタル復調信号及びアナログ復調信号に含まれるそれぞれの電子番組情報に基くデジタル放送チャンネルとアナログ放送チャンネルの番組情報を前記記憶部に記憶すると共に、該記憶部に記憶された番組情報を基に、デジタル放送チャンネルとアナログ放送チャンネルとにより同じ番組が同じ時間帯で放送されるサイマル放送チャンネル情報を検出して前記記憶部に記憶するものである。
【００１１】
請求項４の発明は、請求項１乃至請求項３のいずれか一項に記載のデジタル放送受信装置において、前記受信状態検出部は、前記チューナ部により復調されたデジタル復調信号におけるビットエラーを検出するビットエラー検出回路を備え、該ビットエラー検出回路により検出されたビットエラーレートに基いて受信状態の良否を検出するものである。
【発明の効果】
【００１２】
請求項１の発明によれば、デジタル放送チャンネルの受信状態が良い場合は、デジタル放送のＳ／Ｎの良い画面で番組を視聴することができると共に、弱電界等により受信状態が悪くなってデジタル放送が受信できなくなったときに、受信中のデジタル放送チャンネルに対応する同じ時間帯における同じ番組のアナログ放送チャンネルが存在するときは、同じ番組内容のアナログ放送の映像を選択することができるので、弱電界時においても同じテレビ放送番組を途切れることなく継続して視聴することができる。
【００１３】
請求項２の発明によれば、デジタル放送チャンネルの受信中も、同じ番組内容のアナログ放送チャンネルが受信することができるので、デジタル放送チャンネルからアナログ放送チャンネルに受信画像を切替えたときに、切替の時間遅れが殆ど生じず、スムーズな映像切替えを行うことができる。
【００１４】
請求項３の発明によれば、サイマル放送チャンネル情報を自動的に検出して記憶部に記憶することができるので、デジタル放送チャンネルを受信したときに、このサイマル放送チャンネル情報を基に、対応するアナログ放送チャンネルの有無を直ぐに検出できる。また、常に最新のサイマル放送チャンネル情報を得ることができる。
【００１５】
請求項４の発明によれば、ビットエラーレートに基いて受信状態を定量的に検知することができるので、受信状態の良否が判定し易くなる。
【発明を実施するための最良の形態】
【００１６】
以下、本発明の第１の実施形態に係るデジタルテレビ受信装置について、図１を参照して説明する。図１は、本実施形態のデジタル放送受信装置１（以下、本装置という）の電気ブロック構成を示す。本装置１は、チューナ部２、映像処理部３、音声処理部４、映像選択回路（選択部）５ａ、音声選択回路（選択部）５ｂ、映像出力回路６、表示部７、音声出力回路８、スピーカ９、記憶部１０、及び制御部（ＣＰＵ）（アナログ／デジタル切替部）１１を備える。
【００１７】
チューナ部２は、デジタル放送を選局する第１選局部（デジタル選局部と言う）２１と、アナログ放送を選局する第２選局部（アナログ選局部と言う）２２と、デジタル放送信号を復調するデジタル信号復調回路２３と、アナログ放送信号を復調するアナログ信号復調回路２４とを備える。デジタル選局部２１は、アンテナにより受信したテレビ放送電波よりデジタル変調（ＱＰＳＫ、ＱＡＭ等）されたデジタル放送のチャンネルを選局し、選局した受信チャンネルのデジタル放送信号のＲＦ信号をダウンコンバートし、デジタル受信信号の中間周波数信号（ＩＦ信号）を出力する。アナログ選局部２２は、アンテナにより受信したテレビ放送電波よりアナログ放送チャンネルを選局し、選局した受信チャンネルのアナログ放送信号のＲＦ信号をダウンコンバートし、アナログ受信信号のＩＦ信号を出力する。なお、デジタル選局部２１とアナログ選局部２２は、基本的には同じ回路構成により形成される。
【００１８】
デジタル信号復調回路２３は、デジタル選局部２１から出力されるデジタル変調されたデジタルＩＦ信号を復調してデジタル復調信号を出力する。また、デジタル信号復調回路２３は、逆インターリーブ回路、誤り訂正回路などを備え、デジタル復調信号として、デジタル変調のデジタルＩＦ信号を復調してトランスポートストリーム（ＴＳ信号と言う）を生成する。また、デマルチプレクサを備えることにより、ＴＳ信号をＭＰＥＧ２のビデオストリーム、オーディオストリーム、及びＰＳＩ／ＳＩ（Program Specific Information/Service Information)に分離復号し、デマルチプレクサからビデオストリームとオーディオストリームを映像処理部３のデジタル映像デコーダ３１と、音声処理部４のデジタル音声デコーダ４１にそれぞれ供給し、ＰＳＩ／ＳＩに含まれる電子番組情報（ＥＰＧ情報）（番組名、番組詳細、番組開始時間、番組継続時間等）等のサービス情報を制御部１１に供給する。
【００１９】
また、デジタル信号復調回路２３は、ビットエラー検出回路２５（受信状態検出部）を備え、ビットエラー検出回路２５は、デジタル放送の伝送路によるＣ／Ｎ劣化により、デジタル復調信号にビットエラーがどの程度生じているかを把握するためにビットエラーレートを検出する。また、ビットエラー検出回路２５は、伝送路上で生じたビットエラー訂正を行う誤り訂正回路によりＴＳ信号のエラー訂正を行った後、訂正ビット数を検出し、伝送ビットレートから単位時間に算出した基準ビット数と比較することなどによりビットエラーレート検出行う。また、制御部１１は、ビットエラー検出回路２５により検出されたビットエラーレートに基き、Ｃ／Ｎ劣化の状態を把握し、受信状態の良否を判定する。
【００２０】
アナログ信号復調回路２４は、アナログ選局部２２から出力されるアナログ変調されたアナログＩＦ信号を復調してアナログ復調信号を出力する。このアナログ復調信号は、映像信号のコンポジット信号（ＣＶＢＳ信号）（Composite Video Burst Synch）とアナログ音声変調信号とからなり、それぞれ映像処理部３のアナログ映像デコーダ３２と、音声処理部４のアナログ音声デコーダ４２とにそれぞれ供給される。
【００２１】
映像処理部３は、デジタル映像デコーダ３１とアナログ映像デコーダ３２とを備える。デジタル映像デコーダ３１は、デジタル信号復調回路２３から供給される映像のＴＳ信号をデコードしてデジタル放送のコンポーネント信号のＲＧＢ映像信号を再生する。アナログ映像デコーダ３２は、アナログ信号復調回路２４から供給されるＣＶＢＳ信号をデコードしてアナログ放送のコンポーネント信号のＲＧＢ映像信号を再生する。これらデコードされた２系統のＲＧＢ映像信号は、映像選択回路５ａに供給される。
【００２２】
映像選択回路５ａは、映像処理部３から入力されたデジタル放送受信とアナログ放送受信による２系統のＲＧＢ映像信号を制御部１１からの映像選択信号により、これらのＲＧＢ映像信号のどちらかを選択して出力する。この選択された映像信号は、表示部７を駆動する映像出力回路６に供給され、映像出力回路６は、選択されたＲＧＢ映像信号を表示部７に表示する。
【００２３】
音声処理部４は、デジタル音声デコーダ４１とアナログ音声デコーダ４２とを備える。デジタル音声デコーダ４１は、デジタル信号復調回路２３から供給される音声のＴＳ信号をデコードしてデジタル放送の音声信号を再生する。アナログ音声デコーダ４２は、アナログ信号復調回路２４から供給される変調音声信号をデコードしてアナログ放送の音声信号を再生する。これらのデコードされた２系統の音声信号は、音声選択回路５ｂに供給される。
【００２４】
音声選択回路５ｂは、音声処理部４から供給されたデジタル放送の音声信号とアナログ放送の音声信号とを制御部１１からの音声選択信号により、これら２系統の音声信号のどちらかを選択して出力する。この選択された音声信号は、スピーカ９を駆動する音声出力回路８に供給され、音声出力回路８は、供給された音声信号をスピーカ９に入力して、スピーカ９により音声信号を拡声する。
【００２５】
記憶部１０は、デジタル放送チャンネルとアナログ放送チャンネルの番組情報を記憶する。また、この番組情報は、デジタル放送チャンネルとアナログ放送チャンネルとにより同じ番組が同じ時間帯で放送されるサイマル放送チャンネル情報を含む。このサイマル放送チャンネル情報は、予めユーザにより登録することができる。
【００２６】
制御部１１は、ＣＰＵを備え、装置１全体をＩ２Ｃ（Inter-Integrated  circuit）等の通信バスを介して制御すると共に、ビットエラー検出回路２５により検出されたビットレートの値に基き、デジタル放送の受信状態の良否を判定する。ここでは、例えば、ビットエラー検出回路２５により検出されたビットレートが所定の値（例えば、受信電波のＣ／Ｎがデジタル放送のスレシホールドの値となるビットレートの値）以下になったときは、デジタル放送の受信電波のＣ／Ｎが劣化し、受信状態が悪いと判定する。この判定に基き、制御部１１は、受信中のデジタル放送チャンネルの受信状態が悪いと判定すると、デジタル放送受信とアナログ放送受信との受信モードを切替えるモード切替信号を発信する。
【００２７】
このモード切替信号に基き、制御部１１は受信放送チャンネル選局の制御部として機能し、記憶部１０に記憶された番組情報に、受信中のデジタル放送チャンネルに対応する同じ時間帯における同じ番組のアナログ放送チャンネルが存在するときは、記憶部１０に記憶されている番組情報に基いて、サイマル放送チャンネル情報から受信中のデジタル放送チャンネルに対応するアナログ放送チャンネルを読出し、この読み出したアナログ放送チャンネルをアナログ選局部２２により選局する。この選局されたアナログ放送チャンネルのアナログ放送信号は、アナログ信号復調回路２４で復調され、映像処理部３及び音声処理部４によりデコードされてアナログ放送のアナログ映像信号及びアナログ音声信号が再生される。
【００２８】
また、制御部１１はデジタル放送受信とアナログ放送受信とを切替えるアナログ／デジタル切替部として機能し、モード切替信号により、映像選択回路５ａ及び音声選択回路５ｂにおける選択を制御し、それらの出力をデジタル映像信号及びデジタル音声信号からアナログ映像信号及びアナログ音声信号に切替える。このデジタル受信からアナログ受信への受信モードの切替により、視聴される映像（音声を含む）をアナログ放送の受信画像とすることができる。アナログ放送受信においては、受信映像のＳ／Ｎは、受信電波のＣ／Ｎの低下と共に順次低下するので、基本的にデジタル放送受信のようなスレシホールドは存在しない。従って、モード切替信号によるアナログ放送受信への切替えにより、受信電波のＣ／Ｎがデジタル放送のスレシホールド以下になっても、デジタル放送受信のように、ブロックノイズが生じたり、画面がフリーズすることはなく、番組を継続して視聴することができる。
【００２９】
これにより、例えば、デジタル放送を視聴しているときに、降雨などにより急にデジタル放送の受信電波の電界強度が低下し、テレビ放送搬送波のＣ／Ｎが一定のスレシホールド以下に低下した場合には、受信画面が乱れる前に、自動的に同じ番組のアナログ放送の画面に切替えることにより、視聴中の番組映像が急に見られなくなることを回避することができる。また、テレビ放送搬送波のＣ／Ｎが高くなってくれば、モード切替信号をオフにすることにより、切替えたアナログ受信から当初のデジタル受信に戻すことができる。
【００３０】
このように、本実施形態によれば、受信電界強度が所定のレベル以上のときは、デジタル放送によりＳ／Ｎの良い画面で番組を視聴することができると共に、受信電界強度が弱電界となって受信状態が悪化し、デジタル放送が受信できなくなったときに、受信中のデジタル放送チャンネルに対応する同じ時間帯における同じ番組のアナログ放送チャンネルが存在するときは、同じ番組内容のアナログ放送を選択して、アナログ受信に切替えることができるので、弱電界のときにも映像が途切れることなく同じテレビ放送番組を継続して視聴することができる。
【００３１】
また、ビットエラーレートに基いて受信状態を定量的に検知することができるので、受信状態の良否を判定し易くなる。
【００３２】
次に、本発明の第１の実施形態の変形例に係るデジタル放送受信装置について説明する。本変形例は、制御部１１（図１）は、チューナ部２によりデジタル放送チャンネルが選局されると同時に、記憶部１０に記憶されたサイマル放送チャンネル情報に基き、記憶部１０に記憶された番組情報に、受信中のデジタル放送チャンネルに対応する同じ時間帯における同じ番組のアナログ放送チャンネルが存在するときは、受信中のデジタル放送チャンネルと同じ番組を放送するアナログ放送チャンネルをチューナ部２により自動的に並行して選局するものである。
【００３３】
本変形例においては、制御部１１は、チューナ部２において、デジタル選局部２１によりデジタル放送チャンネルが選局されたとき、並行して選局されたデジタル放送チャンネルに対応するサイマル放送のアナログ放送チャンネルを記憶部１０から読み出し、このアナログチャンネルをアナログ選局部２２により選局する。
【００３４】
これにより、デジタル放送チャンネルの受信中も、同じ番組内容のアナログ放送チャンネルが受信されているので、弱電界時にデジタル放送チャンネルからアナログ放送チャンネルに切替える際、記憶部１０の番組情報からサイマル放送チャンネルを読み出す時間や、読み出したサイマル放送チャンネルに基きアナログ選局部２２でチャンネルを切替える時間等を削減することができる。従って、デジタル放送からアナログ放送への受信映像の切替に時間遅れが殆ど発生せず、スムーズな映像切替えを行うことができる。
【００３５】
次に、本発明の第２の実施形態に係るデジタル放送受信装置について、図２を参照して説明する。本装置１においては、制御部１１は、チューナ部２から出力されたデジタル復調信号及びアナログ復調信号に含まれるそれぞれの電子番組情報に基くデジタル放送チャンネルとアナログ放送チャンネルの番組情報を記憶部１０に記憶すると共に、記憶部１０に記憶された番組情報を基に、デジタル放送チャンネルとアナログ放送チャンネルとにより同じ番組が同じ時間帯で放送されるサイマル放送チャンネル情報を検出して記憶部１０に記憶する点で前記実施形態と異なる。
【００３６】
本装置１において、アナログ信号復調回路２４は、アナログ放送信号に重畳されるデータ放送をデコードして、データ放送の中に含まれる電子番組情報（ＥＰＧ情報）を検出するＥＰＧデータ検出部２６を備える。ＥＰＧデータ検出部２６は、検出したアナログ放送のＥＰＧ情報（アナログＥＰＧ情報と言う）を制御部１１に供給する。
【００３７】
ここで、本装置１におけるサイマル放送チャンネル情報の生成について説明する。制御部１１は、本装置１の立上げ時に、予め記憶部１０に記憶された受信可能なデジタル放送チャンネル及びアナログ放送チャンネルの各初期設定チャンネルを呼出して、デジタル選局部２１とアナログ選局部２２により各初期チャンネルを設定する。制御部１１は、各初期チャンネルが選局されると、デジタル信号復調回路２３から供給されるＰＳＩ／ＳＩに含まれるデジタル放送のＥＰＧ情報（デジタルＥＰＧ情報と言う）と、アナログ信号復調回路２４のＥＰＧデータ検出部２６から供給されるアナログＥＰＧ情報とを記憶部１０に記憶し、これらＥＰＧ情報に含まれる番組名、番組詳細、番組開始時間、番組継続時間等からデジタル放送チャンネルと同じ時間に同じ番組を放送するサイマル放送のアナログ放送チャンネルを検出する。この検出に基き、デジタル放送チャンネルとサイマル放送のアナログ放送チャンネルとを対応付けるサイマル放送チャンネル情報を生成し、このサイマル放送チャンネル情報を記憶部１０に記憶する。
【００３８】
このように、本実施形態によれば、サイマル放送チャンネル情報を自動的に検出して記憶部１０に記憶することができるので、デジタル放送チャンネルを受信したときに、このサイマル放送チャンネル情報を基に、対応するアナログ放送チャンネルの有無を直ぐに検出できる。また、予めサイマル放送チャンネル情報を記憶させておく必要がない。また、装置立上げの度にサイマル放送チャンネル情報を更新できるので、新たにデジタル放送チャンネルが増えた場合などにも直ぐに対応することができる。
【００３９】
なお、本発明は上記各種の実施形態の構成に限定されるものではなく、発明の趣旨を変更しない範囲で適宜に種々の変形が可能である。例えば、本実施形態では、受信状態の良否を判定は、ビットエラーレートに基いて行ったが、チューナ部により選局されたデジタル放送チャンネルの搬送波信号レベルの測定に基いて行ってもよい。また、デジタル放送の音声信号のスレシホールドは、映像信号のスレシホールドより低い場合があるので、音声選択回路の選択タイミングを映像選択回路の選択タイミングよりずらし、遅くしてもよい。
【図面の簡単な説明】
【００４０】
【図１】本発明の第１の実施形態に係るデジタル放送受信装置の電気構成図。
【図２】本発明の第２の実施形態に係るデジタル放送受信装置の電気構成図。
【符号の説明】
【００４１】
１  デジタル放送受信装置
２  チューナ部
３  映像処理部
４  音声処理部
５ａ  映像選択回路（選択部）
５ｂ  音声選択回路（選択部）
７  表示部
１０  記憶部
１１  制御部（アナログ／デジタル切替部）
２１  デジタル選局部（チューナ部）
２２  アナログ選局部（チューナ部）
２５  ビットエラー検出回路（受信状態検出部）
２６  ＥＰＧデータ検出部
３１  デジタル映像デコーダ（映像処理部）
３２  アナログ映像デコーダ（映像処理部）
４１  デジタル音声デコーダ（音声処理部）
４２  アナログ音声デコーダ（音声処理部）
【図１】
2009272881.tif 000003
【図２】
2009272881.tif 000004